(57)【要約】【課題】比較的簡単な構造で、誤って容器を倒してしまった場合でも内容物がこぼれることを防止可能なキャップを提供する。【解決手段】キャップ本体１１と上蓋１２とを備え、キャップ本体１１は、容器１の口部４を覆う覆い部１３と、筒状で容器１内の内容物を吐出可能な吐出筒１４と、吐出筒１４の基部から広がる台部１５と、注出口１６が設けられている外筒部１７と、を有し、上蓋１２は、切欠部２１が設けられた内筒部２２と、台部１５の上面１５ａと内筒部内側とで囲まれた第１貯留空間２３を覆う第１蓋部２４と、内筒部２２外側と外筒部１７内側とで囲まれた第２貯留空間２５を覆う第２蓋部２６と、注出口１６を開閉自在な注出口蓋部２７と、を有する。そして、キャップ本体１１に対する上蓋１２の回転位置として、連続注出位置と、定量注出位置と、注出口が閉じられる閉鎖位置と、を有する。【選択図】図４
2018135099.tif 000002
【特許請求の範囲】
【請求項１】
容器の口部に取り付けられるキャップ本体と、このキャップ本体に対して回転自在に組み付けられる上蓋と、を備え、
キャップ本体は、容器の口部を覆う覆い部と、筒状で先端部が開口されて開口箇所から容器内の内容物を吐出可能な吐出筒と、吐出筒の基部から径方向外側に広がるとともに外周縁が筒状に延びて覆い部につながる台部と、台部よりも外周側箇所から筒状に延びて、注出口が設けられている外筒部と、を有し、
上蓋は、台部の外周に嵌合可能で切欠部が設けられた内筒部と、台部における径方向外側に広がる箇所と内筒部内側とで囲まれた第１貯留空間を覆う第１蓋部と、内筒部外側と外筒部内側とで囲まれた第２貯留空間を覆う第２蓋部と、注出口を開閉自在な注出口蓋部と、を有し、
キャップ本体に対する上蓋の回転位置として、それぞれ注出口が下方となる前側の向きに容器とともにキャップを傾けた状態で、切欠部が前側下方寄りとなるとともに注出口が開けられる連続注出位置と、切欠部が後側上方寄りとなるとともに注出口が開けられる定量注出位置と、注出口が閉じられる閉鎖位置と、を有する
ことを特徴とするキャップ。
【請求項２】
台部の径方向外側に広がる上面は、キャップ本体における注出口が設けられている側とは反対側ほど下方となるように傾斜されていることを特徴とする請求項１に記載のキャップ。
【請求項３】
吐出筒に吐出口に近づくほど開口面積が小さくなる傾斜面が形成されていることを特徴とする請求項１または２に記載のキャップ。
【発明の詳細な説明】
【技術分野】
【０００１】
本発明はキャップに関する。
【背景技術】
【０００２】
容器に入れられている液体の内容物（内容液）を一定量計ることができるものとして、容器とは別に計量用の小型カップを付属させたものが知られている。しかし、この場合には、前記小型カップを紛失してしまう恐れがある。
【０００３】
容器の口部に装着されるノズルに一定量の内容物を注出可能な機能を付与した注出ノズルが特許文献１に開示されている。この注出ノズルは、容器より上方に延びる筒形状の装着側外筒部とこの装着側外筒部よりさらに上方に延びる可動側外筒部とからなる外筒部と、可動側内筒部の上面開口部を開閉する蓋体と、を備えるとともに、装着側内筒部、可動側内筒部、および、中栓とこの中栓を蓋体に連動させる棒状の連結部材などを有する。
【０００４】
前記注出ノズルは、注出ノズル自体が容器の口部に装着されているため、注出ノズルを紛失することを防止できる。しかし、注出ノズルの構造が複雑であるため製造コストが増加する。また、注出ノズルが上方に大きく延びて、注出口が高い位置にあるため、大きなスペースが必要となるとともに取り扱い難くて操作性に劣る。
【０００５】
比較的簡単な構造でありながら、容器の口部に装着されるとともに一定量計ることができるキャップ（定量兼用振出中栓）が特許文献２に開示されている。この定量兼用振出中栓は、容器の口部に装着される中栓本体と、この中栓本体に回転自在に嵌合された定量カップなどを有する。そして、定量カップを、一定量の内容物を注出できる位置と、一定量ではなくて単に継続して出る非定量位置とに、切り替えることで、一定量だけでなく、意図する自由な量を出すことも可能な構造とされている。
【０００６】
このキャップ（定量兼用振出中栓）は、比較的簡単な構造であるため、製造コストを抑えることができる。また、前記注出ノズルと比較すると小型（コンパクト）であるため、必要なスペースも少なめに抑えることができる。
【先行技術文献】
【特許文献】
【０００７】
【特許文献１】特開２０１５−４８１０９号公報
【特許文献２】実開昭４８−１１２７５０号公報
【発明の概要】
【発明が解決しようとする課題】
【０００８】
しかしながら、上記の特許文献２に開示されているキャップ（定量兼用振出中栓）は、定量カップの位置にかかわらず、容器を傾けると内容物が出てしまう構造であるため、誤って容器を倒してしまうと内容物がこぼれて、周囲を汚してしまう恐れがある。
【０００９】
本発明は、上記課題を解決するもので、比較的簡単な構造であり、かつ、誤って容器を倒してしまった場合でも内容物がこぼれることを防止可能なキャップを提供することを目的とするものである。
【課題を解決するための手段】
【００１０】
上記課題を解決するために、本発明のキャップは、容器の口部に取り付けられるキャップ本体と、このキャップ本体に対して回転自在に組み付けられる上蓋と、を備え、キャップ本体は、容器の口部を覆う覆い部と、筒状で先端部が開口されて開口箇所から容器内の内容物を吐出可能な吐出筒と、吐出筒の基部から径方向外側に広がるとともに外周縁が筒状に延びて覆い部につながる台部と、台部よりも外周側箇所から筒状に延びて、注出口が設けられている外筒部と、を有し、上蓋は、台部の外周に嵌合可能で切欠部が設けられた内筒部と、台部における径方向外側に広がる箇所と内筒部内側とで囲まれた第１貯留空間を覆う第１蓋部と、内筒部外側と外筒部内側とで囲まれた第２貯留空間を覆う第２蓋部と、注出口を開閉自在な注出口蓋部と、を有し、キャップ本体に対する上蓋の回転位置として、それぞれ注出口が下方となる前側の向きに容器とともにキャップを傾けた状態で、切欠部が前側下方寄りとなるとともに注出口が開けられる連続注出位置と、切欠部が後側上方寄りとなるとともに注出口が開けられる定量注出位置と、注出口が閉じられる閉鎖位置と、を有することを特徴とする。
【００１１】
上記構成において、上蓋がキャップ本体に対して連続注出位置となる状態で、注出口が下方となる向きに容器およびキャップを前側に傾けると、この際には切欠部が前側下方寄りとなるとともに注出口が開けられているので、吐出筒から出た内容物が、台部における径方向外側に広がる箇所と内筒部内側とで囲まれた第１貯留空間から切欠部を通った後、内筒部外側と外筒部内側とで囲まれた第２貯留空間を通り、注出口から傾けている時間などに応じて順次出ることとなる。
【００１２】
また、上蓋がキャップ本体に対して定量注出位置となる状態で、注出口が下方となる前側の向きに容器およびキャップを傾けると、この際には切欠部が後側上方寄りとなるため、吐出筒から出た内容物が、切欠部を通らずに、台部における径方向外側に広がる箇所と内筒部内側とで囲まれた第１貯留空間に所定量（一定量）だけ溜まる。そして、この後、容器およびキャップを元の姿勢に戻した際に、第１貯留空間に溜まっていた所定量の内容物が、後側の切欠部を通って、内筒部外側と外筒部内側とで囲まれた第２貯留空間に流れ込む。したがって、この後に、上蓋がキャップ本体に対して定量注出位置となる状態で、注出口が下方となる向きに容器およびキャップを傾けると、第２貯留空間に溜まっていた所定量の内容物が注出口から出ることとなる。
【００１３】
また、上蓋がキャップ本体に対して閉鎖位置となる状態では、注出口が注出口蓋部により閉じられているため、誤って容器を倒した場合でも、内容物が出ることはない。
【００１４】
なお、台部における径方向外側に広がる上面は、キャップ本体における注出口が設けられている側とは反対側（すなわち後側）ほど下方となるように傾斜されていると好適であり、このように構成することで、上蓋を定量注出位置となる状態で、容器およびキャップを元の姿勢に戻した際に、第１貯留空間に溜まっていた所定量の内容物を、後側の切欠部を通って、第２貯留空間に良好に流れ込ませることができる。
【００１５】
また、吐出筒に吐出口に近づくほど開口面積が小さくなる傾斜面が形成されていてもよい。
【発明の効果】
【００１６】
本発明のキャップによれば、比較的簡単な構造でありながら、内容物を連続的に出したり、内容物を所定量（一定量）だけ出したりすることができるだけでなく、誤って容器を倒してしまった場合でも内容物がこぼれることを防止することもできる。
【図面の簡単な説明】
【００１７】
【図１】本発明の実施の形態に係るキャップが取り付けられた容器の側面図である。
【図２】同キャップの平面図であり、上蓋が閉鎖位置である状態を示す。
【図３】同キャップの下面図である。
【図４】同キャップの側面断面図（図２のＢ−Ｂ線矢視断面図）であり、上蓋が閉鎖位置である状態を示す。
【図５】同キャップの側面断面図（図２のＣ−Ｃ線矢視断面図）であり、上蓋が閉鎖位置である状態を示す。
【図６】同キャップの平面断面図（図１のＡ−Ａ線矢視断面図）であり、上蓋が閉鎖位置である状態を示す。
【図７】同キャップのキャップ本体の側面図である。
【図８】同キャップのキャップ本体の平面図である。
【図９】同キャップのキャップ本体の側面断面図（図８のＤ−Ｄ線矢視断面図）である。
【図１０】同キャップの上蓋の側面図である。
【図１１】同キャップの上蓋の平面図である。
【図１２】同キャップの上蓋の下面図である。
【図１３】同キャップの上蓋の側面断面図（図１１のＥ−Ｅ線矢視断面図）である。
【図１４】同キャップの平面図であり、上蓋が連続注出位置である状態を示す。
【図１５】同キャップが取り付けられた容器の側面図であり、上蓋が連続注出位置である状態を示す。
【図１６】同キャップの平面断面図（図１５のＨ−Ｈ線矢視断面図）であり、上蓋が連続注出位置である状態を示す。
【図１７】同キャップの側面断面図（図１４のＦ−Ｆ線矢視断面図）であり、上蓋が連続注出位置である状態を示す。
【図１８】同キャップの側面断面図（図１４のＧ−Ｇ線矢視断面図）であり、上蓋が連続注出位置である状態を示す。
【図１９】容器およびキャップを傾けた際の同キャップの側面断面図（図１７の断面図の傾斜状態）であり、上蓋が連続注出位置である状態を示す。
【図２０】容器およびキャップを傾けた際の同キャップの側面断面図（図１８の断面図の傾斜状態）であり、上蓋が連続注出位置である状態を示す。
【図２１】同キャップの平面図であり、上蓋が定量注出位置である状態を示す。
【図２２】同キャップが取り付けられた容器の側面図であり、上蓋が定量注出位置である状態を示す。
【図２３】同キャップの平面断面図（図２２のＫ−Ｋ線矢視断面図）であり、上蓋が定量注出位置である状態を示す。
【図２４】同キャップの側面断面図（図２１のＩ−Ｉ線矢視断面図）であり、上蓋が定量注出位置である状態を示す。
【図２５】同キャップの側面断面図（図２１のＪ−Ｊ線矢視断面図）であり、上蓋が定量注出位置である状態を示す。
【図２６】容器およびキャップを傾けた際の同キャップの側面断面図（図２４の断面図の傾斜状態）であり、上蓋が定量注出位置である状態を示す。
【図２７】容器およびキャップを傾けた際の同キャップの側面断面図（図２５の断面図の傾斜状態）であり、上蓋が定量注出位置である状態を示す。
【図２８】容器およびキャップを通常の正立位置に戻した際の同キャップの側面断面図（図２６の傾斜後の正立状態）であり、上蓋が定量注出位置である状態を示す。
【図２９】容器およびキャップを通常の正立位置に戻した際の同キャップの側面断面図（図２６の傾斜後の正立状態）であり、上蓋が定量注出位置である状態を示す。
【図３０】容器およびキャップを再度傾けた際の同キャップの側面断面図（図２９断面図の傾斜状態）であり、上蓋が定量注出位置である状態を示す。
【図３１】容器およびキャップを再度傾けた際の同キャップの側面断面図（図２８の断面図の傾斜状態）であり、上蓋が定量注出位置である状態を示す。
【図３２】本発明の実施の形態に係るキャップの変形例である。
【図３３】本発明の実施の形態に係るキャップの他の変形例である。
【図３４】本発明の実施の形態に係るキャップのその他の変形例である。
【発明を実施するための形態】
【００１８】
以下、本発明に係る実施の形態の容器を、図面に基づき説明する。
図１において、１は内部に液体や粉粒体からなる内容物が収容される容器（容器本体）で、その上部に本実施の形態（第１の実施の形態）に係るキャップ１０が取り付けられる。図１に示すように、容器１の上部には、外周にキャップ取付用のねじ部２が形成された口筒部３と、この口筒部３の上端部で開口した口部４と、を有する。また、図１〜図１３などに示すように、キャップ１０は、容器１の口部４を覆うように取り付けられるキャップ本体１１と、このキャップ本体１１に対して回転自在に組み付けられる上蓋１２と、を備えている。
【００１９】
図４、図５、図７〜図９など（図１〜図９など）に示すように、キャップ本体１１は、容器１の口部４を上方および外周側から覆う覆い部１３（上面１３ａと外周面１３ｂとからなる）と、筒状で先端部（上端部）が開口されて開口箇所（吐出口１４ａ）から容器１内の内容物を吐出可能な吐出筒１４と、吐出筒１４の基部（下端部）から径方向外側（外周側）に広がるとともに外周縁が下方筒状に延びて覆い部１３の上面（口部４を上方から覆う面）１３ａにつながる台部（段付部）１５と、台部１５よりも外周側箇所（この実施の形態では、覆い部１３の上面１３ａと外周面１３ｂとの接続箇所）から上方筒状に延びて、一部に注出口１６（注出口受け１６ａ）が設けられている外筒部１７と、を有している。
【００２０】
なお、覆い部１３の外周面１３ｂの内側には、容器１のねじ部２に噛み合うねじ部１８が形成されている。また、この実施の形態では、覆い部１３の外周面１３ｂが上方にそのまま延びて外筒部１７が形成されており、キャップ本体１１全体が一体形成されているが、これに限るものではない。また、この実施の形態では、キャップ本体１１（詳しくは、キャップ本体１１における外筒部１７の内周面）に形成されたねじ部１９と、上蓋１２（詳しくは、上蓋１２における後述する内筒外周部１７の外周面）に形成されたねじ部３１とが嵌合されて、キャップ本体１１に上蓋１２が回転自在に組み付けられる。また、容器１内の内容物が注出口１６を通って出る際に、キャップ本体１１のねじ部１９や上蓋１２のねじ部３１が妨げとならないように、キャップ本体１１における注出口１６に対応する箇所や、上蓋１２における後述する連続注出位置、定量注出位置での注出口１６に対応する箇所において、ねじ部１９、３１が形成されず、ねじ欠如部１９ｘ、３１ｘとされている（図８、図１２など参照）。なお、注出時に内容物がより良好に注出できるように、ねじ欠如部１９ｘ、３１ｘを窪ませて凹部を形成してもよいがこれに限るものではない。
【００２１】
図１〜図６、図１０〜図１３に示すように、上蓋１２は、台部１５の外周に嵌合可能で切欠部２１が設けられた内筒部２２と、台部１５における径方向外側に広がる箇所（台部１５の上面１５ａ）と内筒部２２の内側とで囲まれた第１貯留空間２３を覆う第１蓋部２４と、内筒部２２の外側と外筒部１７の内側とで囲まれた第２貯留空間２５を覆う第２蓋部２６と、注出口１６を開閉自在な注出口蓋部２７と、を有する。なお、この実施の形態では、上蓋１２の内筒部２２が、内筒内側筒状部２２ａと内筒外側筒状部２２ｂとにより構成され、これらの内側筒状部２２ａと外側筒状部２２ｂとの間にこれらを分離（分割）する筒状凹部（筒状隙間部）２２ｃが形成されている場合を示している。
【００２２】
また、第１蓋部２４の上面部に上蓋１２を回転させる際に把持する把持部（いわゆるつまみ）２８が形成され、第２蓋部２６の上面部に、連続注出位置を示す連続注出印部２９と、定量注出位置を示す定量注出印部３０と、が形成されている。なお、この実施の形態では、把持部２８は平面視略直線状で上方に突出した形状とされているが、これに限るものではなく、キャップ本体１１に対して上蓋１２を回転し易い形状とすればよく、キャップ本体１１に対して上蓋１２の位置が後述する連続注出位置、定量注出位置、閉鎖位置の何れの位置にあるかが認識できるように、連続注出印部２９や定量注出印部３０が設けられていればよい。
【００２３】
また、この実施の形態では、吐出筒１４の先端部（上端部）における、注出口１６に近い領域の下部では、吐出筒１４の下部が、上蓋１２の内筒部２２に接しており、下方で台部１５の外周面１５ｂにそのまま続いているとともに、この箇所に対応する吐出筒１４の上部に、吐出口１４ａに近づくほど開口面積が小さくなる傾斜面１４ｂ（図４など参照）が形成されている。
【００２４】
また、この実施の形態では、台部１５の径方向外側（外周側）に広がる上面１５ａは、キャップ本体１１における注出口１６が設けられている側とは反対側（すなわち後側）ほど下方となるように傾斜されている。なお、図４などにおいては、傾斜状態が理解しやすいように強調して（実際よりも傾斜している角度が大きくなるように）示している。
【００２５】
また、キャップ本体１１に対する上蓋１２の回転位置として、それぞれ注出口１６が下方となる前側の向きに容器１とともにキャップ１０を傾けた状態で、切欠部２１が前側下方寄りとなるとともに注出口１６が開けられる連続注出位置（連続注出印部２９が注出口１６に合う位置：図１４〜図１８など参照）と、切欠部２１が後側上方寄りとなるとともに注出口１６が開けられる定量注出位置（定量注出印部３０が注出口１６に合う位置：図２１〜図２５など参照）と、注出口１６が閉じられる閉鎖位置（注出口１６に上蓋１２の注出口蓋部２７が密着する回転位置：図１〜図６など参照）と、を有する。
【００２６】
上記構成において、キャップ本体１１に対して上蓋１２が閉められて閉鎖位置とされた状態では、図４、図５など（図１〜図６）に示すように、上蓋１２の注出口蓋部２７が注出口１６に合って閉じられるとともに外筒部１７の上端面に上蓋１２の第２蓋部２６が密着した状態となる。したがって、このように上蓋１２が閉められて閉鎖位置とされた状態では、例え誤って容器１を倒すことがあった場合でも、内容物が出ることはない。
【００２７】
内容物を連続注出したい場合には、上蓋１２を閉鎖位置から半周（約１８０度）開ける方向に回転するなどして、図１４〜図１８などに示すように、上蓋１２をキャップ本体１１に対して連続注出位置とする。このように連続注出位置とすると、注出口１６が下方となる前側の向きに容器１とともにキャップ１０を傾けた状態で、図１８、図１９に示すように、切欠部２１が前側下方寄りとなるとともに注出口１６が開けられる。
【００２８】
このように連続注出位置に回転した状態で、図１９、図２０などに示すように、注出口１６が下方となる向きに容器１およびキャップ１０を傾ける（詳しくは、内容物が吐出筒１４の傾斜面１４ｂを乗り越えるまで容器１およびキャップ１０を傾ける）と、吐出筒１４の吐出口１４ａから出た内容物が、まず、台部１５の上面（台部１５における径方向外側に広がる箇所）１５ａと内筒部２２の内側とで囲まれた第１貯留空間２３に流入する。この際、切欠部２１が前側下方寄りにあるため、第１貯留空間２３に流入した内容物は切欠部２１を通った後、内筒部２２の外側と外筒部１７の内側とで囲まれた第２貯留空間２５に流入し、さらにねじ欠如部１９ｘ、３１ｘを通って、開いている注出口１６から、傾けている時間などに応じて順次出ることとなる。
【００２９】
内容物を定量注出したい場合には、上蓋１２を閉鎖位置から１／４周（約９０度）開ける方向に回転するなどして、図２１〜図２５などに示すように、上蓋１２をキャップ本体１１に対して定量注出位置とする。このように定量注出位置とすると、図２４、図２５に示すように、切欠部２１が後側上方寄りとなるとともに注出口１６が開けられる。
【００３０】
このように定量注出位置に回転した状態で、図２６、図２７に示すように、注出口１６が下方となる前側の向きに容器１およびキャップ１０を傾ける（詳しくは、内容物が吐出筒１４の傾斜面１４ｂを乗り越えるまで容器１およびキャップ１０を傾ける）と、吐出筒１４の吐出口１４ａから出た内容物が、まず、台部１５の上面（台部１５における径方向外側に広がる箇所）１５ａと内筒部２２の内側とで囲まれた第１貯留空間２３に流入する。この際、切欠部２１が後側上方寄りにあるため、吐出筒１４から出た内容物が、第１貯留空間２３に所定量（一定量）だけ溜まり、この後、図２８、図２９に示すように、容器１およびキャップ１０を元の姿勢に戻した際に、第１貯留空間２３に溜まっていた所定量（一定量）の内容物が、後側の切欠部２１を通って、内筒部２２の外側と外筒部１７の内側とで囲まれた第２貯留空間２５に流れ込む。したがって、この後に、上蓋１２がキャップ本体１１に対して定量注出位置である状態のままで、注出口１６が下方となる前側の向きに容器１およびキャップ１０を傾けると、図３０、図３１に示すように、第２貯留空間２５に溜まっていた所定量（一定量）の内容物が、ねじ欠如部１９ｘ、３１ｘを通って、注出口１６から出る。すなわち、定量注出位置のままで、容器１およびキャップ１０を傾けると、傾けるたびに一定量の内容物が順次出ることとなる。  
【００３１】
なお、上蓋１２が連続注出位置として、前側に傾けることをやめて通常の姿勢に戻した場合も、一部の内容物が第２貯留空間２５に残るため、この第２貯留空間２５に残っていた内容物が出ることとなる。
【００３２】
以上のように、このキャップ１０は、比較的簡単な構造であるため、製造コストを抑えることができるとともに、比較的小型（コンパクト）な構造であるため、必要なスペースも少なめに抑えることができる。そして、このキャップ１０を容器１に取り付けることで、内容物を連続的に出したり、内容物を所定量（一定量）だけ出したりすることができるだけでなく、誤って容器１を倒してしまった場合でも内容物がこぼれることを防止することもでき、周囲を汚してしまう恐れがなくて、極めて便利である。
【００３３】
また、上記のように、台部１５における径方向外側（外周側）に広がる上面１３ａが、キャップ本体１１における注出口１６が設けられている側とは反対側（すなわち後側）ほど下方となるように傾斜されているように構成することで、上蓋１２が定量注出位置となる状態で、容器１およびキャップ１０を元の姿勢に戻した際に、台部１５上の第１貯留空間に溜まっていた所定量（一定量）の内容物が、台部１５上に残り難くなって、切欠部を通って、第２貯留空間２５に良好に流れ込ませることができる。したがって、注出口１６から出る量をより均一にできて、信頼性を向上させることができる。
【００３４】
ただし、これに限るものではなく、この台部１５の上面１５ａが通常の姿勢で水平あるいはほぼ水平になるように形成してもよく、このような構成でも、定量注出位置である程度の均一に近い量の内容物が出るように構成できる。
【００３５】
また、上記実施の形態では、吐出筒１４に吐出口１４ａに近づくほど開口面積が小さくなる傾斜面１４ｂが形成されており、この傾斜面１４ｂの大きさや位置などを調整することで、容器１およびキャップ１０を傾斜する際に吐出筒１４から内容物が出始める角度や流れ出る量を調整可能である。しかし、これに限るものではなく、図３２に示すように、吐出筒１４に傾斜面を設けなくてもよい。
【００３６】
また、上記実施の形態では、上蓋１２の注出口蓋部２７が外側に突出するように形成されている場合を述べたが、注出口蓋部２７’をあまり突出させない形状としてもよい（図３３参照）。また、注出口１６も必ずしも外側に突出するように形成されていなくてもよく、上蓋１２と外筒部１７の間の所定箇所を注出口として用いて、注出口として使用する箇所をわかるように目印などを表示するよう構成してもよい。また、上記実施の形態では、上蓋１２における第１貯留空間２３を覆う第１蓋部２４と、第２貯留空間２５を覆う第２蓋部２６と、がこれらの間に隙間（筒状凹部２２ｃ）を有して分離されている場合を述べたが、これに限るものでなく、第１蓋部２４と第２蓋部２６とが隙間なく繋がる形状に一体化してもよい（図３４参照）。
【符号の説明】
【００３７】
１      容器（容器本体）
３      口筒部
４      口部
１０    キャップ
１１    キャップ本体
１２    上蓋
１３    覆い部
１４    吐出筒
１５    台部（段付部）
１６    注出口
１７    外筒部
１９、３１    ねじ部
１９ｘ、３１ｘ    ねじ欠如部
２１    切欠部
２２    内筒部
２３    第１貯留空間
２４    第１蓋部
２５    第２貯留空間
２６    第２蓋部
２７、２７’    注出口蓋部
２８    把持部（つまみ）
２９    連続注出印部
３０    定量注出印部
【図１】
2018135099.tif 000003
【図２】
2018135099.tif 000004
【図３】
2018135099.tif 000005
【図４】
2018135099.tif 000006
【図５】
2018135099.tif 000007
【図６】
2018135099.tif 000008
【図７】
2018135099.tif 000009
【図８】
2018135099.tif 000010
【図９】
2018135099.tif 000011
【図１０】
2018135099.tif 000012
【図１１】
2018135099.tif 000013
【図１２】
2018135099.tif 000014
【図１３】
2018135099.tif 000015
【図１４】
2018135099.tif 000016
【図１５】
2018135099.tif 000017
【図１６】
2018135099.tif 000018
【図１７】
2018135099.tif 000019
【図１８】
2018135099.tif 000020
【図１９】
2018135099.tif 000021
【図２０】
2018135099.tif 000022
【図２１】
2018135099.tif 000023
【図２２】
2018135099.tif 000024
【図２３】
2018135099.tif 000025
【図２４】
2018135099.tif 000026
【図２５】
2018135099.tif 000027
【図２６】
2018135099.tif 000028
【図２７】
2018135099.tif 000029
【図２８】
2018135099.tif 000030
【図２９】
2018135099.tif 000031
【図３０】
2018135099.tif 000032
【図３１】
2018135099.tif 000033
【図３２】
2018135099.tif 000034
【図３３】
2018135099.tif 000035
【図３４】
2018135099.tif 000036